(57)【要約】【課題】使用される板金の量を減らしてコストダウンすることが可能な液晶パネル固定構造を提供する。【解決手段】シールド板１３の背面上端から後方に切り起こされてシールド板１３の背面と平行となるように折り曲げられて切起こし１３ｇ、１３ｈ、１３ｉ、１３ｊが形成される。シールド板１３の背面下端に取付金具１６を固定する。シールド板１３は、上端部でフロントキャビネット１１に直接ネジ止めされるが、下端部は取付金具１６を介してフロントキャビネット１１に取り付けられ、シャーシブラケット１７、１８は、上橋脚部１７ａ、１８ａで切起こし１３ｇ、１３ｈ、１３ｉ、１３ｊにネジ固定され、下橋脚部１７ｂ、１８ｂで取付金具１６にネジ固定される。【選択図】図１
2008256791.tif 000002
【特許請求の範囲】
【請求項１】
画面に映像を表示する液晶パネルを有する液晶パネルと、
該液晶パネルを前面側から覆いつつ略矩形の開口から前記液晶パネルの画面を外部に露見させるフロントキャビネットと、
該液晶パネルの背面及び上下左右側面を覆い、前記フロントキャビネットに固定される金属製のシールド板と、
上橋脚部と下橋脚部と上下橋脚部に接続する橋梁部とを有し、該シールド板の背面上端から背面下端にかけてブリッジ状に跨るようにして設けられ、液晶テレビジョン受像機を壁に掛止するための金具が取り付けられるシャーシブラケットと、
前記フロントキャビネットに後方から合わさって前記液晶パネルと前記シールド板と前記架橋部材とを内部に収容するキャビネットを構成するリアキャビネットと、
を備えた液晶テレビジョン受像機において、
前記シールド板の背面上端から後方に切り起こされて該シールド板の背面と平行となるように折り曲げられて形成される切起こしと、
断面Ｌ字型に成型されて、前記液晶パネルの下側面から背面にかけての角を覆うように前記シールド板の背面下端に固定され、Ｌ字の下側面から下方に延出されたヒレ部で前記フロントキャビネットに固定される取付金具と、
を設け、
前記シールド板は、上端部で前記フロントキャビネットに直接取り付けられるが、下端部は取付金具を介して前記フロントキャビネットに取り付けられ、
前記シャーシブラケットは、上橋脚部で前記切起こしに取り付けられ、下橋脚部で前記取付金具のＬ字の背面側に固定されることを特徴とする液晶テレビジョン受像機。
【請求項２】
画面に映像を表示する液晶パネルを有する液晶パネルと、
該液晶パネルを前面側から覆いつつ略矩形の開口から前記液晶パネルの画面を外部に露見させるフロントキャビネットと、
該液晶パネルの背面及び上下左右側面を覆い、前記フロントキャビネットに固定される金属製のシールド板と、
該シールド板の背面上端から背面下端にかけてブリッジ状に跨るようにして設けられ、液晶テレビジョン受像機を壁に掛止するための金具が取り付けられるシャーシブラケットと、
前記フロントキャビネットに後方から合わさって前記液晶パネルと前記シールド板と前記架橋部材とを内部に収容するキャビネットを構成するリアキャビネットと、
を備えた液晶テレビジョン受像機の前記シャーシブラケットを前記シールド板に固定するシャーシブラケット固定構造において、
前記シールド板の背面上端から後方に切り起こされて該シールド板の背面と平行となるように折り曲げられて形成される切起こしと、
前記シールド板の背面下端に固定された取付金具と、
を設け、
前記シールド板は、上端部で前記フロントキャビネットに直接取り付けられるが、下端部は前記取付金具を介して前記フロントキャビネットに取り付けられ、
前記シャーシブラケットは、上端部で前記切起こしに取り付けられ、下端部で前記取付金具に固定されることを特徴とするシャーシブラケット固定構造。
【請求項３】
前記取付金具は、断面Ｌ字型に成型されて、前記液晶パネルの下側面から背面にかけての角を覆うように前記シールド板の背面下端に固定され、Ｌ字の下側面から下方に延出されたヒレ部で前記フロントキャビネットに固定されることを特徴とする請求項２に記載のシャーシブラケット固定構造。
【請求項４】
前記シャーシブラケットは、前記シールド板の切起こしに固定される上橋脚部と、前記取付金具のＬ字の背面側に固定される下橋脚部と、前記上橋脚部を前記下橋脚部に接続する橋梁部を備えることを特徴とする請求項３に記載のシャーシブラケット固定構造。
【発明の詳細な説明】
【技術分野】
【０００１】
本発明は、シャーシブラケット固定構造及び液晶テレビジョン受像機に関する。
【背景技術】
【０００２】
従来の液晶テレビジョン受像機は、特許文献１に開示されているように、図１３のような構造が採用されている。図１３に示すように、従来の液晶テレビジョン受像機では、背面及び上下左右側面を金属製のシールド板で覆われた液晶モジュール２が、各々金属板の折り曲げ成型により作成される上パネルホルダと下パネルホルダ６および左右のシャーシブラケット７、８を使用してフロントキャビネット１にネジ止めされ、その背面からフロントキャビネット１に合わされるようにリアキャビネット４を取付けられる構造であった。
【０００３】
このような構造により、画面に映像を表示する液晶モジュール２は、フロントキャビネット１の略矩形の開口から画面を外部に露見させていた。液晶モジュール２には、液晶パネルやこの液晶パネルに背面から光りを照射するバックライト、液晶パネルを駆動する駆動回路等が含まれている。また、シールド板３の背面には、ＰＣＢホルダーなどの板金が固定され、このＰＣＢホルダー上に電源回路、音声処理回路、映像処理回路、入出力回路などの各回路が搭載された回路基板が固定される。これらの回路が液晶テレビジョン受像機全体を制御する。
【０００４】
図１４は上パネルホルダと下パネルホルダの斜視図である。上パネルホルダと下パネルホルダは同一形状であるため、上下共に図１７のパネルホルダが使用される。上パネルホルダと下パネルホルダ６は、共に断面略Ｌ字型に折り曲げ成型されており、Ｌ字の一方の面において左右端近傍と略中央から切り起こされて略垂直に外方に延出され、各々の切起こし面に孔が設けられたヒレ部と、Ｌ字の他方の面の略中央に複数設けられたシールド板用孔と、液晶モジュール２の幅の１／３〜１／４に相当する間隔を空けてＬ字の他方の面の略中央を挟んで左右対称にそれぞれ設けられたネジ孔と、を備える。
【０００５】
上パネルホルダ５は、ヒレ部が上面側となるようにＬ字の開放側をシールド板３の上側面から背面にかけての角を覆うように合わせられ、シールド板用孔を通してシール板３の背面上端に固定される。また、フロントキャビネット１には、ヒレ部の孔の位置に合わせてネジボスが設けられており、上パネルホルダ５はヒレ部の孔を通したネジによってネジボスに固定される。
【０００６】
下パネルホルダ６は、ヒレ部が下面側となるようにＬ字の開放側をシールド板の下側面から背面にかけての角を覆うように合わせられ、シールド板用孔を通してシール板３の背面下端に固定される。また、フロントキャビネット１には、ヒレ部の孔の位置に合わせてネジボスが設けられており、下パネルホルダ６はヒレ部の孔を通したネジによってネジボスに固定される。
【０００７】
さらに、上パネルホルダ５の上面及び下パネルホルダの下面の左右端は、下方に向かって折り曲げ成型されている。この折り曲げ面はシールド板３の左右側面に略接触しており、上パネルホルダ５および下パネルホルダ６は折り曲げ面の孔を通してシールド板３の左右側面にネジ止めされる。
【０００８】
このように液晶モジュール２の背面を覆うシールド板３に対して固定された上パネルホルダ５と下パネルホルダ６に、左右のシャーシブラケット７、８が取り付けられる。シャーシブラケット７、８は、上パネルホルダ５に固定される上橋脚部と、下パネルホルダ６に固定される下橋脚部と、両橋脚を接続する橋梁部とを備える。シャーシブラケット７、８は、上下に長い板金を前後左右断面において略コ字型となるように成型するとともに上部と下部のコ字の端部を外方に略垂直に屈曲させてハット状に形成して両橋脚部とし、ハット状に形成されない中央部左右側面の前方略半分を切り取ることによりこの中央部をシールドパネルから所定距離後方にオフセットさせて橋梁部とする。このようにシャーシブラケット７、８は上パネルホルダ５と下パネルホルダ６との間をブリッジ状に接続している。
【０００９】
即ち、従来においては、上下のパネルホルダ５、６と左右のシャーシブラケット７、８が組み合わされて、ギリシャ数字の２を上下方向に縮めた形状のフレームを構成し、このフレームで液晶モジュール２をフロントキャビネット１に対して支持固定する液晶パネル固定構造が採用されていた。
【特許文献１】実用新案登録第３１１７８３３号公報
【発明の開示】
【発明が解決しようとする課題】
【００１０】
前述した従来の液晶テレビジョン受像機においては、シールド板１３をシャーシブラケット７、８とともにフロントキャビネット１２に固定する構造であるため、取付金具（上パネルホルダ５や下パネルホルダ６）が２つも必要であり、しかも上パネルホルダ５や下パネルホルダ６が液晶モジュール２（シールド板３）の上端や下端を全体的に覆っていたため、使用される板金の量が多く、コストアップが避けられなかった。
【００１１】
本発明は、前記課題に鑑みてなされたものであり、使用される板金の量を減らしてコストダウンすることが可能なシャーシブラケット固定構造及び液晶テレビジョン受像機を提供することを目的とする。
【課題を解決するための手段】
【００１２】
上記目的を達成するために本発明の請求項１に係る液晶テレビジョン受像機は、画面に映像を表示する液晶パネルを有する液晶パネルと、該液晶パネルを前面側から覆いつつ略矩形の開口から前記液晶パネルの画面を外部に露見させるフロントキャビネットと、該液晶パネルの背面及び上下左右側面を覆い、前記フロントキャビネットに固定される金属製のシールド板と、上橋脚部と下橋脚部と上下橋脚部に接続する橋梁部とを有し、該シールド板の背面上端から背面下端にかけてブリッジ状に跨るようにして設けられ、液晶テレビジョン受像機を壁に掛止するための金具が取り付けられるシャーシブラケットと、前記フロントキャビネットに後方から合わさって前記液晶パネルと前記シールド板と前記架橋部材とを内部に収容するキャビネットを構成するリアキャビネットと、を備えた液晶テレビジョン受像機において、前記シールド板の背面上端から後方に切り起こされて該シールド板の背面と平行となるように折り曲げられて形成される切起こしと、断面Ｌ字型に成型されて、前記液晶パネルの下側面から背面にかけての角を覆うように前記シールド板の背面下端に固定され、Ｌ字の下側面から下方に延出されたヒレ部で前記フロントキャビネットに固定される取付金具と、を設け、前記シールド板は、上端部で前記フロントキャビネットに直接取り付けられるが、下端部は取付金具を介して前記フロントキャビネットに取り付けられ、前記シャーシブラケットは、上橋脚部で前記切起こしに取り付けられ、下橋脚部で前記取付金具のＬ字の背面側に固定されることを特徴としている。
【００１３】
また、本発明の請求項２に係るシャーシブラケット固定構造は、画面に映像を表示する液晶パネルを有する液晶パネルと、該液晶パネルを前面側から覆いつつ略矩形の開口から前記液晶パネルの画面を外部に露見させるフロントキャビネットと、該液晶パネルの背面及び上下左右側面を覆い、前記フロントキャビネットに固定される金属製のシールド板と、該シールド板の背面上端から背面下端にかけてブリッジ状に跨るようにして設けられ、液晶テレビジョン受像機を壁に掛止するための金具が取り付けられるシャーシブラケットと、前記フロントキャビネットに後方から合わさって前記液晶パネルと前記シールド板と前記架橋部材とを内部に収容するキャビネットを構成するリアキャビネットと、を備えた液晶テレビジョン受像機の前記シャーシブラケットを前記シールド板に固定するシャーシブラケット固定構造において、前記シールド板の背面上端から後方に切り起こされて該シールド板の背面と平行となるように折り曲げられて形成される切起こしと、前記シールド板の背面下端に固定された取付金具と、を設け、前記シールド板は、上端部で前記フロントキャビネットに直接取り付けられるが、下端部は前記取付金具を介して前記フロントキャビネットに取り付けられ、前記シャーシブラケットは、上端部で前記切起こしに取り付けられ、下端部で前記取付金具に固定されることを特徴としている。
【００１４】
また、請求項３に係るシャーシブラケット固定構造は、請求項２に記載のシャーシブラケット固定構造において、前記取付金具は、断面Ｌ字型に成型されて、前記液晶パネルの下側面から背面にかけての角を覆うように前記シールド板の背面下端に固定され、Ｌ字の下側面から下方に延出されたヒレ部で前記フロントキャビネットに固定されることを特徴としている。
【００１５】
また、請求項４に係るシャーシブラケット固定構造は、請求項３に記載のシャーシブラケット固定構造において、前記シャーシブラケットは、前記シールド板の切起こしに固定される上橋脚部と、前記取付金具のＬ字の背面側に固定される下橋脚部と、前記上橋脚部を前記下橋脚部に接続する橋梁部を備えることを特徴としている。
【発明の効果】
【００１６】
本発明によると、シールド板の上端部はフロントキャビネットに直接取り付けられ、シャーシブラケットの上端部はシールド板の背面上端に設けた切起こしに取り付けられるため、シールド板をシャーシブラケットとともにフロントキャビネットに固定するための取付金具が削減され、コストダウンが図られる。
【発明を実施するための最良の形態】
【００１７】
以下、図面を参照して本発明の実施形態について説明する。
【００１８】
まず、液晶テレビジョン受像機の概略構成について図１〜図４を参照して説明する。図１は液晶テレビジョンの分解斜視図、図２はシャーシブラケットの斜視図、図３はシャーシブラケットの背面図、図４はシャーシブラケットの左側面図である。
【００１９】
図１に示すように、液晶テレビジョン受像機１００は、液晶モジュール１２の背面および上下左右側面を覆う金属製のシールド板１３が、フロントキャビネット１１に固定され、シールド板１３の背面の上端から下端にかけてブリッジ状に跨るようにして、左右のシャーシブラケット１７、１８が取り付けられ、その背後からフロントキャビネット１１に合わさるようにリアキャビネット１４が取り付けられてキャビネットを構成している。シャーシブラケット１７、１８には、液晶テレビジョン受像機１００を壁に掛止するための金具（不図示）が取り付けられる。
【００２０】
画面に映像を表示する液晶モジュール１２は、前面側からフロントキャビネット１１に覆われつつフロントキャビネット１１の略矩形の開口から画面を外部に露見させている。液晶モジュール１２には、液晶パネルや液晶パネルに背面から光を照射するバックライト、液晶パネルを駆動する駆動回路等がモジュール化されたものである。また、シールド板１３の背面には、ＰＣＢホルダーなどの板金が固定され、このＰＣＢホルダー上に電源回路、音声処理回路、映像処理回路、インバータ回路、入出力回路などの各回路が搭載された回路基板が固定される。これらの回路が液晶テレビジョン全体を制御する。
【００２１】
図６に示すように、シールド板１３には、液晶モジュール１２の上側面を覆う部位の前端から上方に折り曲げられ、この折り曲げ部の左右方向略中央に孔１３ａが設けられている。フロントキャビネット１１には、シールド板１３の孔１３ａの位置に合わせてネジボス１１ａが設けられており、シールド板１３の上端部は孔１３ａを通したネジによってネジボス１１ａに固定されている。このように本発明の実施形態では、シールド板１３の上端部がフロントキャビネット１に直接ネジ止めされるので、従来の上パネルホルダに該当する取付金具が存在しないのが特徴的である。
【００２２】
図１に示すように下パネルホルダ（取付金具）１６は、断面略Ｌ字状であり、液晶モジュール１２の下側面から背面にかけての角を覆うように、シールド板１３及びフロントキャビネット１１にネジ止めされている。
【００２３】
シールド板１３及び下パネルホルダ１６には、左右のシャーシブラケット１７、１８が取り付けられる。シャーシブラケット１７は、図２に示すように、シールド板１３に固定される上橋脚部１７ａと、下パネルホルダ１６のＬ字の背面側に固定される下橋脚部１７ｂと、上橋脚部１７ａを下橋脚部１７ｂに接続する橋梁部１７ｃを備える。シャーシブラケット１８は、シールド板１３に固定される上橋脚部１８ａと、下パネルホルダ１６のＬ字の背面側に固定される下橋脚部１８ｂと、上橋脚部１８ａを下橋脚部１８ｂに接続する橋梁部１８ｃを備える。
【００２４】
シャーシブラケット１７、１８は、図２に示すように、上下に長い板金を前後左右断面において略コ字型となるように成型されるとともに、上部と下部のコ字の端部を外方に略垂直に屈曲させてハット状に形成して橋梁部とし、ハット状に形成されない中央部左右側面をコ字の形状は残しつつ前端部から所定長さを切り取ることにより、この中央部とシールド板１３との間に空間が形成されるようにして橋梁部とする。
【００２５】
次に、図５〜図１２を参照してシャーシブラケット固定構造について説明する。図５は、液晶テレビジョン受像機のリアキャビネットを外した背面図、図６は液晶テレビジョン受像機のリアキャビネットを外して斜め上から見た背面図、図７は液晶テレビジョン受像機のリアキャビネットを外して斜め下から見た背面図、図８は、フロントキャビネットに液晶モジュールとシールド板を配置した状態の背面図、図９は、下パネルホルダを斜め下から見て示す斜視図、図１０は、下パネルホルダの背面図、図１１は、下パネルホルダの底面図、図１２は、下パネルホルダの左側面図である。
【００２６】
下パネルホルダ１６は、幅が液晶モジュール１２の幅の１／２〜１／３となる板金を断面略Ｌ字型に折り曲げて成型されている。そして、Ｌ字の一方の面１６ａにおいて略中央の端部から略垂直に外方に折り曲げて延出され、延出された面に孔１６ｍが設けられたヒレ部１６ｃと、面１６ａに左右に所定距離を開けて形成された孔１６ｋ、１６ｌと、面１６ａにおいてＬ字の屈曲部分近くに左右に並べて複数形成された放熱孔１６ｊと、Ｌ字の他方の面１６ｂを液晶モジュール１２の背面に近づけるようにオフセットされるために形成された段差１６ｈ、１６ｉと、段差により形成されてその面状に孔１６ｎ、１６ｏが設けられた延出面１６ｄ、１６ｅと、を備える。
【００２７】
下パネルホルダ１６は、面１６ａが下面側となるようにＬ字の開放側をシールド板１３の下側面から背面にかけての角を覆うように合わせられ、孔１６ｋ、１６ｌを通してシールド板１３にネジ固定されている。シールド板１３には孔１６ｋ、１６ｌに対応する位置にネジ孔が設けられている。また、フロントキャビネット１１には、ヒレ部１６ｃの孔１６ｍの位置に合わせてネジボス１１ｂが設けられており、下パネルホルダ１６は孔１６ｍを通したネジによってネジボス１１ｂに固定されている。
【００２８】
ヒレ部１６ｃには、面１６ａとの間の角を潰すように絞り加工が施され、ヒレ部１６ｃの折り曲げられた部位を補強している。
【００２９】
下パネルホルダ１６の背面側の面１６ｂは、上方を開口したコ字状となるように上端の左端および右端のそれぞれから上に向けて延出された延出面１６ｄ、１６ｅを有し、この延出面１６ｄの根元には段差１６ｈが、延出面１６ｅの根元には段差１６ｉが設けられている。これらの段差１６ｈ、１６ｉは、延出面１６ｄ、１６ｅが面１６ｂよりも液晶モジュール１２の背面に近づくようにするものであり、延出面１６ｄ、１６ｅの根元を鈍角（９０°より大きな角度）でクランク状に２度折り曲げ加工することで形成される。さらにこの段差１６ｈ、１６ｉは、これら段差に隣接する面１６ｂと延出面１６ｄを含んで連続して面状に窪ませる凹み加工１６ｘと、面１６ｂと延出面１６ｅを含んで連続して面状に窪ませる凹み加工１６ｙと、が施されることにより補強されている。
【００３０】
延出面１６ｄには孔１６ｎが、延出面１６ｅには孔１６ｏが、それぞれ形成されている。そして、図８に示すように、シールド板１３には、これらの孔１６ｎ、１６ｏの位置に合わせて鉤状の切起こし１３ｃ、１３ｄが形成される。これら切起こしは、シールド板１３から切り起こされるとともに、所定高さでシールド板１３の背面と平行な面となるように折り曲げられて鉤状に形成される。この平行な面にネジ孔１３ｅ、１３ｆが形成されている。これらのネジ孔には、各孔１６ｎ、１６ｏに通されたネジがそれぞれネジ止めされる。これにより、下パネルホルダ１６とシールド板１３が固定される。
【００３１】
図７に示すように、シールド板１３には、液晶モジュール１２の下側面を覆う部位の前端から下方に折り曲げられ、さらに所定長さ下の位置で後方に折り消される折り返し部１３ｂが形成される。折り返し部１３ｂは、前後方向において液晶モジュール１２の背面と略一致する位置が端部となる。
【００３２】
下パネルホルダ１６の面１６ａには、シールド板１３に面する側に向かって、左右方向略中央を対称線として左右対称になる２つの切起こし１６ｆ、１６ｇが形成される。一対の切起こし１６ｆ、１６ｇは、切起こしの根元からシールド板１３の厚みと略一致する高さで面１６ａと略平行となるように前方に折り曲げられ鉤状にされる。
【００３３】
下パネルホルダ１６がシールド板１３に取り付けられる際には、切起こし１６ｆ、１６ｇが切起こしの隙間に折り返し部１３ｂの後端部を挟持することにより、下パネルホルダ１６の位置決めとして機能する。
【００３４】
そして、切起こし１６ｆ、１６ｇと折り返し部１３ｂが係合した状態で下パネルホルダ１６と折り返し部１３ｂとがネジ固定される。このネジ固定は、下パネルホルダ１６の下側面の左右の端部に形成された孔１６ｋ、１６ｌを挿通したネジが、折り返し部１３ｂに形成されたネジ孔にネジ止めされることでなされる。
【００３５】
下パネルホルダの面１６ａにはＬ字の角近くを板金を貫通する放熱孔６ｊが設けられ、シールド板１３ひいては液晶モジュール１２から発生する熱が下パネルホルダ１６の内側に篭らないようにしている。この放熱孔１６ｊ、１６ｋは、丸孔とされ、Ｌ字の角近くに左右に並べて複数形成される。丸孔として形成することにより、下パネルホルダ１６の強度低下を最小限に抑えつつ、放熱を行える構造とすることができる。
【００３６】
さらに、下パネルホルダ１６の面１６ｂには、シャーシブラケット１７、１８の下橋脚部１７ｂ、１８ｂをネジ固定するためのネジ孔１６ｐ、１６ｑ、１６ｒ、１６ｓが設けられる。さらにこれらネジ孔と上下に並べて背面側に突出する突起１６ｔ、１６ｕ、１６ｖ、１６ｗが下パネルホルダ１６の面１６ｂに形成されている。
【００３７】
一方、図８に示すように、シールド板１３の背面上端には、鉤状の切起こし１３ｇ、１３ｈ、１３ｉ、１３ｊが形成される。これら切起こしは、シールド板１３から後方に切り起こされるとともに、（切起こし１３ｃ、１３ｃの高さより若干高くなる）所定高さでシールド板１３の背面と平行な面となるように折り曲げられて鉤状に形成される。この平行な面に、シャーシブラケット１７、１８の上橋脚部１７ａ、１８ａをネジ固定するためのネジ孔１３ｋ、１３ｌ、１３ｍ、１３ｎが形成されている。さらにこれらネジ孔と上下に並べて背面側に突出する突起１３ｏ、１３ｐ、１３ｑ、１３ｒが下パネルホルダ１６の面１６ｂに形成されている。
【００３８】
他方、図３に示すように、シャーシブラケット１７の上橋脚部１７ａと下橋脚部１７ｂでハット状に広がるヒレ状の部位にはネジを挿通する孔１７ｄ、１７ｅ、１７ｆ、１７ｇが形成されている、これらの孔と上下に並べて孔１７ｈ、１７ｉ、１７ｊ、１７ｋも形成される。また、シャーシブラケット１８の上橋脚部１８ａと下橋脚部１８ｂでハット状に広がるヒレ状の部位にはネジを挿通する孔１８ｄ、１８ｅ、１８ｆ、１８ｇが形成され、これらの孔と上下に並べて孔１８ｈ、１８ｉ、１８ｊ、１８ｋも形成される。
【００３９】
従って、これらシャーシブラケット１７、１８をシールド板１３及び下パネルホルダ１６に取り付け固定する際は、孔１７ｈ、１７ｉ、１８ｈ、１８ｉに順にシールド板の突起１３ｏ、１３ｐ、１３ｑ、１３ｒが挿入されるとともに、孔１７ｊ、１７ｋ、１８ｊ、１８ｋに順に下パネルホルダの突起１６ｔ、１６ｕ、１６ｖ、１６ｗが挿入されるように、シャーシブラケット１７、１８を載置し、孔１７ｄ、１７ｅ、１８ｄ、１８ｅを挿通してシールド板のネジ孔１３ｋ、１３ｌ、１３ｍ、１３ｎに、孔１７ｆ、１７ｇ、１８ｆ、１８ｇを挿通して下パネルホルダのネジ孔１６ｐ、１６ｑ、１６ｒ、１６ｓに、それぞれネジ固定される。
【００４０】
本実施形態によると、シールド板１３の上端部はフロントキャビネット１１に直接取り付けられ、シャーシブラケット１７、１８の上橋脚部１７ａ、１８ａはシールド板１３の背面上端に設けた切起こし１３ｇ、１３ｈ、１３ｉ、１３ｊに取り付けられるため、シールド板１３をシャーシブラケット１７、１８とともにフロントキャビネット１１に固定するための上パネルホルダが削減され、コストダウンが図られる。
【００４１】
なお、本発明は上記実施形態に限定されるものではない。例えば、シールド板１３のフロントキャビネット１へのネジ固定部位をシールド板１３の上側面だけでなく左右側面や下側面にも増やすなどして取り付け強度が十分に確保できる場合には、下パネルホルダをも廃止し、シールド板１３の上端部と同様に下端部もフロントキャビネットに直接ネジ止めするとともに、シールド板１３の背面下端に設けた、切起こし１３ｇ、１３ｈ、１３ｉ、１３ｊと同様の切起こしに、シャーシブラケット１７、１８の下橋脚部１７ｂ、１８ｂをネジ固定するようにしてもよい。
【図面の簡単な説明】
【００４２】
【図１】は、液晶テレビジョン受像機の分解斜視図である。
【図２】は、右シャーシブラケット（左シャーシブラケット）を斜め上から見て示した斜視図である。（括弧内の符号は左シャーシブラケットの符号である。）
【図３】は、右シャーシブラケット（左シャーシブラケット）の背面図である。（括弧内の符号は左シャーシブラケットの符号である。）
【図４】は、右シャーシブラケット（左シャーシブラケット）の左側面図である。（括弧内の符号は左シャーシブラケットの符号である。）
【図５】は、液晶テレビジョン受像機のリアキャビネットを外した背面図である。
【図６】は、液晶テレビジョン受像機のリアキャビネットを外して斜め上から見た背面図である。
【図７】は、液晶テレビジョン受像機のリアキャビネットを外して斜め下から見た背面図である。
【図８】は、フロントキャビネットに液晶モジュールとシールド板を配置した状態の背面図である。
【図９】は、下パネルホルダを斜め下から見て示す斜視図である。
【図１０】は、下パネルホルダの背面図である。
【図１１】は、下パネルホルダの底面図である。
【図１２】は、下パネルホルダの左側面図である。
【図１３】は、従来の液晶テレビジョン受像機の分解斜視図である。
【図１４】は、従来のパネルホルダの斜視図である。
【符号の説明】
【００４３】
１１  フロントキャビネット
１１ａ  ネジボス
１１ｂ  ネジボス
１２  液晶モジュール
１３  シールド板
１３ａ  孔
１３ｂ  折り返し部
１３ｃ、１３ｄ  切起こし
１３ｅ、１３ｆ  ネジ孔
１３ｇ、１３ｈ、１３ｉ、１３ｊ  切起こし
１３ｋ、１３ｌ、１３ｍ、１３ｎ  ネジ孔
１３ｏ、１３ｐ、１３ｑ、１３ｒ  突起
１４  リアキャビネット
１６  下パネルホルダ（取付金具）
１６ａ  面（Ｌ字の下側面）
１６ｂ  面（Ｌ字の背面）
１６ｃ  ヒレ部
１６ｄ、１６ｅ  延出面
１６ｊ  放熱孔
１６ｋ、１６ｌ、１６ｍ、１６ｎ、１６ｏ  孔
１６ｐ、１６ｑ、１６ｒ、１６ｓ  ネジ孔
１６ｔ、１６ｕ、１６ｖ、１６ｗ  突起
１７、１８  シャーシブラケット
１７ａ、１８ａ  上橋脚部
１７ｂ、１８ｂ  下橋脚部
１７ｃ、１８ｃ  橋梁部
１７ｄ、１７ｅ、１７ｆ、１７ｇ、１７ｈ、１７ｉ、１７ｊ、１７ｋ  孔
１８ｄ、１８ｅ、１８ｆ、１８ｇ、１８ｈ、１８ｉ、１８ｊ、１８ｋ  孔
１００  液晶テレビジョン受像機
【図１】
2008256791.tif 000003
【図２】
2008256791.tif 000004
【図３】
2008256791.tif 000005
【図４】
2008256791.tif 000006
【図５】
2008256791.tif 000007
【図６】
2008256791.tif 000008
【図７】
2008256791.tif 000009
【図８】
2008256791.tif 000010
【図９】
2008256791.tif 000011
【図１０】
2008256791.tif 000012
【図１１】
2008256791.tif 000013
【図１２】
2008256791.tif 000014
【図１３】
2008256791.tif 000015
【図１４】
2008256791.tif 000016